(57)【要約】【課題】実際の撮影前において、実際の撮影状況に基づくアドバイスをユーザに対して行うことが可能な撮影シミュレーションシステムを提供することを目的とする。【解決手段】撮像装置３と撮影シミュレーションサーバ２とがネットワーク４を介してデータを送受信する撮影シミュレーションシステム１において、撮影シミュレーションサーバ２は、予め複数の画像を記録部７に記録しておき、ユーザにより設定される撮影シーンに基づいて撮影予想画像を記録部７に記録される画像の中から検索すると共にその撮影予想画像を撮像装置３に送信し、撮像装置３は、撮影シーンを撮影シミュレーションサーバ２に送信すると共に撮影シミュレーションサーバ２から送信される撮影予想画像を表示部１２に表示させる。【選択図】図１
2009124658.tif 000002
【特許請求の範囲】
【請求項１】
複数の撮像装置と撮影シミュレーションサーバとがネットワークを介してデータを送受信する撮影シミュレーションシステムであって、
前記撮影シミュレーションサーバは、
ユーザにより設定される撮影シーン又は画像を前記複数の撮像装置からそれぞれ受信する第１の受信手段と、
前記第１の受信手段により受信された複数の画像を記録する記録手段と、
前記第１の受信手段により受信された撮影シーンに基づいて撮影予想画像を前記記録手段に記録される画像の中から検索する検索手段と、
前記検索手段により検索された撮影予想画像を前記撮像装置に送信する第１の送信手段と、
を備え、
前記撮像装置は、
撮像手段と、
前記撮影シーンを前記撮影シミュレーションサーバに送信する第２の送信手段と、
前記撮影シミュレーションサーバから送信される撮影予想画像を受信する第２の受信手段と、
前記第２の受信手段により受信された撮影予想画像を表示する表示手段と、
を備える、
ことを特徴とする撮影シミュレーションシステム。
【請求項２】
請求項１に記載の撮影シミュレーションシステムであって、
前記第２の送信手段は、前記第２の受信手段により受信された撮影予想画像に対してユーザにより設定される撮影条件を前記撮影シミュレーションサーバに送信し、
前記第１の受信手段は、前記撮像装置から送信される撮像条件を受信し、
前記撮影シミュレーションサーバは、前記第１の受信手段により受信された撮影条件に基づいて、前記撮影予想画像に対して撮影された後の画像を示すシミュレーション画像を作成する画像作成手段を備え、
前記第１の送信手段は、前記画像作成手段により作成されたシミュレーション画像を前記撮像装置に送信し、
前記第２の受信手段は、前記撮影シミュレーションサーバから送信されるシミュレーション画像を受信し、
前記表示手段は、前記第２の受信手段により受信されたシミュレーション画像を表示する、
ことを特徴とする撮影シミュレーションシステム。
【請求項３】
請求項１又は請求項２に記載の撮影シミュレーションシステムであって、
前記記録手段は、前記複数の画像にそれぞれ対応する複数の撮影アドバイスを記録し、
前記検索手段は、前記撮影予想画像に対応する撮影アドバイスを前記記録手段に記録される複数の撮影アドバイスの中から検索し、
前記第１の送信手段は、前記検索手段により検索された撮影アドバイスを前記撮像装置に送信し、
前記第２の受信手段は、前記撮影シミュレーションサーバから送信される撮影アドバイスを受信し、
前記表示手段は、前記第２の受信手段により受信された撮影アドバイスを表示する、
ことを特徴とする撮影シミュレーションシステム。
【請求項４】
複数の撮像装置と撮影シミュレーションサーバとがネットワークを介してデータを送受信する撮影シミュレーションシステムにおける前記撮像装置であって、
撮像手段と、
ユーザにより設定される撮影シーン又は画像を前記撮影シミュレーションサーバに送信する送信手段と、
前記撮影シミュレーションサーバにおいて前記撮影シーンに基づいて得られた撮影予想画像を前記撮影シミュレーションサーバから受信する受信手段と、
前記受信手段により受信された撮影予想画像を表示する表示手段と、
を備える、
ことを特徴とする撮像装置。
【請求項５】
請求項４に記載の撮像装置であって、
前記送信手段は、前記受信手段により受信された撮影予想画像に対してユーザにより設定される撮影条件を前記撮影シミュレーションサーバに送信し、
前記受信手段は、前記撮影シミュレーションサーバにおいて前記撮影条件に基づいて作成される、前記撮影予想画像に対して撮影された後の画像を示すシミュレーション画像を前記撮影シミュレーションから受信し、
前記表示手段は、前記受信手段により受信されたシミュレーション画像を表示する、
ことを特徴とする撮像装置。
【請求項６】
請求項４又は請求項５に記載の撮像装置であって、
前記受信手段は、前記撮影予想画像に対応する撮影アドバイスを前記撮影シミュレーションサーバから受信し、
前記表示手段は、前記受信手段により受信された撮影アドバイスを表示する、
ことを特徴とする撮像装置。
【請求項７】
複数の撮像装置と撮影シミュレーションサーバとがネットワークを介してデータを送受信する撮影シミュレーションシステムにおける前記撮影シミュレーションサーバであって、
ユーザにより設定される撮影シーン又は画像を前記複数の撮像装置からそれぞれ受信する受信手段と、
前記受信手段により受信された複数の画像を記録する記録手段と、
前記受信手段により受信された撮影シーンに基づいて撮影予想画像を前記記録手段に記録される画像の中から検索する検索手段と、
前記検索手段により検索された撮影予想画像を前記撮像装置に送信する送信手段と、
を備える、
ことを特徴とする撮影シミュレーションサーバ。
【請求項８】
請求項７に記載の撮影シミュレーションサーバであって、
ユーザにより設定され、前記撮像装置から送信される撮影条件に基づいて、前記撮影予想画像に対して撮影された後の画像を示すシミュレーション画像を作成する画像作成手段を備え、
前記送信手段は、前記画像作成手段により作成されたシミュレーション画像を前記撮像装置に送信する、
ことを特徴とする撮影シミュレーションサーバ。
【請求項９】
請求項７又は請求項８に記載の撮影シミュレーションサーバであって、
前記記録手段は、前記複数の画像にそれぞれ対応する複数の撮影アドバイスを記録し、
前記検索手段は、前記撮影予想画像に対応する撮影アドバイスを前記記録手段に記録される複数の撮影アドバイスの中から検索し、
前記送信手段は、前記検索手段により検索された撮影アドバイスを前記撮像装置に送信する、
ことを特徴とする撮影シミュレーションサーバ。
【請求項１０】
撮像手段と、
ネットワークを介して他の撮影シミュレーション装置から送信される複数の画像を受信する受信手段と、
前記受信手段により受信された複数の画像を記録する記録手段と、
ユーザにより設定される撮影シーンに基づいて撮影予想画像を前記記録手段に記録される画像の中から検索する検索手段と、
前記検索手段により検索された撮影予想画像を表示する表示手段と、
を備えることを特徴とする撮影シミュレーション装置。
【請求項１１】
請求項１０に記載の撮影シミュレーション装置であって、
ユーザにより設定される撮影条件に基づいて、前記撮影予想画像に対して撮影された後の画像を示すシミュレーション画像を作成する画像作成手段を備え、
前記表示手段は、前記画像作成手段により作成されたシミュレーション画像を表示する、
ことを特徴とする撮影シミュレーション装置。
【請求項１２】
請求項１０又は請求項１１に記載の撮影シミュレーション装置であって、
前記記録手段は、前記複数の画像にそれぞれ対応する複数の撮影アドバイスを記録し、
前記検索手段は、前記撮影予想画像に対応する撮影アドバイスを前記記録手段に記録される複数の撮影アドバイスの中から検索し、
前記表示手段は、前記検索手段により検索された撮影アドバイスを表示する、
ことを特徴とする撮影シミュレーション装置。
【発明の詳細な説明】
【技術分野】
【０００１】
本発明は、ユーザにより設定される撮影シーンに基づいて、実際の撮影前に撮影のシミュレーションを行う撮影シミュレーションシステムに関する。
【背景技術】
【０００２】
デジタルカメラなどの撮像装置により行われる撮影では、撮影場所に行ってからその撮影場所の状況が分かる場合が多く、撮影場所でその状況に即座に対応することができずにせっかくのシャッターチャンスを逃してしまうおそれなどの不具合があった。
【０００３】
そこで、実際の撮影前に、撮影のシミュレーションを行うことや最適な撮影方法を誰かから教えてもらえれば、失敗なく撮影することができたり、ユーザが自分でアレンジした撮影方法がどのくらい撮影画像に活きてくるかを知ることができる。
【０００４】
例えば、シナリオ画像を再生しながら撮影することができるカメラにおいて、ユーザがそのシナリオ画像を見ながら撮影をトレーニングすることができるものがある（例えば、特許文献１参照）。
【０００５】
また、例えば、仮想的な被写体に関する３次元データから撮影方向などに基づいて２次元画像を生成することができるデジタルカメラにおいて、ユーザがその２次元画像を見ながらフレーミングなどの撮影の練習を行うことができるものがある（例えば、特許文献２参照）。
【特許文献１】特開２００４−２２８８０３号公報
【特許文献２】特開２００３−４６８１４号公報
【発明の開示】
【発明が解決しようとする課題】
【０００６】
しかしながら、上述のように、シナリオ画像を再生しながら撮影することができるカメラや３次元データから２次元画像を生成することができるデジタルカメラは、すでに決められた画像を再撮影するものであって、実際の撮影状況に基づいたアドバイスをユーザに対して行っているものではないため、不測の事態、すなわち、シナリオ画像や３次元データ以外の撮影状況に対応してアドバイスを行うことができないという問題がある。
【０００７】
そこで、本発明では、実際の撮影状況に基づくアドバイスをユーザに対して行うことが可能な撮影シミュレーションシステムを提供することを目的とする。
【課題を解決するための手段】
【０００８】
上記の課題を解決するために本発明では、以下のような構成を採用した。
すなわち、本発明の撮影シミュレーションシステムは、複数の撮像装置と撮影シミュレーションサーバとがネットワークを介してデータを送受信する撮影シミュレーションシステムであって、前記撮影シミュレーションサーバは、ユーザにより設定される撮影シーン又は画像を前記複数の撮像装置からそれぞれ受信する第１の受信手段と、前記第１の受信手段により受信された複数の画像を記録する記録手段と、前記第１の受信手段により受信された撮影シーンに基づいて撮影予想画像を前記記録手段に記録される画像の中から検索する検索手段と、前記検索手段により検索された撮影予想画像を前記撮像装置に送信する第１の送信手段とを備え、前記撮像装置は、撮像手段と、前記撮影シーンを前記撮影シミュレーションサーバに送信する第２の送信手段と、前記撮影シミュレーションサーバから送信される撮影予想画像を受信する第２の受信手段と、前記第２の受信手段により受信された撮影予想画像を表示する表示手段とを備える。
【０００９】
また、前記第２の送信手段は、前記第２の受信手段により受信された撮影予想画像に対してユーザにより設定される撮影条件を前記撮影シミュレーションサーバに送信し、前記第１の受信手段は、前記撮像装置から送信される撮像条件を受信し、前記撮影シミュレーションサーバは、前記第１の受信手段により受信された撮影条件に基づいて、前記撮影予想画像に対して撮影された後の画像を示すシミュレーション画像を作成する画像作成手段を備え、前記第１の送信手段は、前記画像作成手段により作成されたシミュレーション画像を前記撮像装置に送信し、前記第２の受信手段は、前記撮影シミュレーションサーバから送信されるシミュレーション画像を受信し、前記表示手段は、前記第２の受信手段により受信されたシミュレーション画像を表示するように構成してもよい。
【００１０】
また、前記記録手段は、前記複数の画像にそれぞれ対応する複数の撮影アドバイスを記録し、前記検索手段は、前記撮影予想画像に対応する撮影アドバイスを前記記録手段に記録される複数の撮影アドバイスの中から検索し、前記第１の送信手段は、前記検索手段により検索された撮影アドバイスを前記撮像装置に送信し、前記第２の受信手段は、前記撮影シミュレーションサーバから送信される撮影アドバイスを受信し、前記表示手段は、前記第２の受信手段により受信された撮影アドバイスを表示するように構成してもよい。
【００１１】
また、本発明の撮影シミュレーション装置は、撮像手段と、ネットワークを介して他の撮影シミュレーション装置から送信される複数の画像を受信する受信手段と、前記受信手段により受信された複数の画像を記録する記録手段と、ユーザにより設定される撮影シーンに基づいて撮影予想画像を前記記録手段に記録される画像の中から検索する検索手段と、前記検索手段により検索された撮影予想画像を表示する表示手段とを備える。
【００１２】
また、上記撮影シミュレーション装置において、ユーザにより設定される撮影条件に基づいて、前記撮影予想画像に対して撮影された後の画像を示すシミュレーション画像を作成する画像作成手段を備え、前記表示手段は、前記画像作成手段により作成されたシミュレーション画像を表示するように構成してもよい。
【００１３】
また、上記撮影シミュレーション装置において、前記記録手段は、前記複数の画像にそれぞれ対応する複数の撮影アドバイスを記録し、前記検索手段は、前記撮影予想画像に対応する撮影アドバイスを前記記録手段に記録される複数の撮影アドバイスの中から検索し、前記表示手段は、前記検索手段により検索された撮影アドバイスを表示するように構成してもよい。
【００１４】
また、本発明の範囲は、上記撮影シミュレーションサーバ及び上記撮像装置にまで及ぶ。
【発明の効果】
【００１５】
本発明によれば、実際の撮影前において、実際の撮影状況に基づくアドバイスをユーザに対して行うことができる。
【発明を実施するための最良の形態】
【００１６】
以下、図面を用いて本発明の実施形態を説明する。
図１は、本発明の実施形態の撮影シミュレーションシステムを示す図である。
図１に示す撮影シミュレーションシステム１は、撮影シミュレーションサーバ２と、複数の撮像装置３と、インターネットや無線ＬＡＮなどのネットワーク４とを備えて構成されている。
【００１７】
上記撮影シミュレーションサーバ２は、通信部５と、検索部６と、記録部７と、画像作成部８とを備えて構成されている。
上記撮像装置３は、例えば、デジタルカメラであって、撮像部９と、操作部１０と、通信部１１と、表示部１２と、記録部１３とを備えて構成されている。
【００１８】
図２は、撮像装置３の動作を説明するためのフローチャートである。
まず、撮像装置３は、ユーザにより撮影モードが選択されたか否かを判断する（ステップＳ１）。
【００１９】
撮影モードが選択されたと判断した場合（ステップＳ１がＹ）、撮像装置３は、撮像部９により得られるファインダー用途のスルー画像を表示部１２に表示する（ステップＳ２）。
【００２０】
次に、撮像装置３は、ユーザが操作部１０を操作することによって決定された撮影条件を設定する（ステップＳ３）。例えば、撮影条件としては、露出の補正値、ＡＦポイント、シャッタースピード、絞り、ＩＳＯ感度、又はフォーカス距離などの設定が考えられる。
【００２１】
次に、撮像装置３は、ユーザにより操作部１０のレリーズボタンが押されたか否かを判断する（ステップＳ４）。
レリーズボタンが押されていないと判断すると（ステップＳ４がＮ）、撮像装置３は、ステップＳ１に戻る。
【００２２】
一方、レリーズボタンが押されたと判断すると（ステップＳ４がＹ）、撮像装置３は、ステップＳ３で設定された撮影条件を反映させて撮影を行う（ステップＳ５）。
次に、撮像装置３は、撮影した画像を記録部１３に記録する。ステップＳ２〜ステップＳ６は、デジタルカメラなどの一般的な撮像装置の撮影動作と同様である。
【００２３】
また、撮影モードが選択されていないと判断すると（ステップＳ１がＮ）、撮像装置３は、ユーザにより再生モードが選択されたか否かを判断する（ステップＳ１１）。
再生モードが選択されたと判断すると（ステップＳ１１がＹ）、撮像装置３は、記録部１３に記録される画像を表示部１２に表示する（ステップＳ１２）。
【００２４】
次に、撮像装置３は、記録部１３に記録される画像をサムネイル表示するための操作がユーザにより行われたか否かを判断する（ステップＳ１３）。
サムネイル表示するための操作が行われていないと判断すると（ステップＳ１３がＮ）、撮像装置３は、再生モードを終了し（ステップＳ１７）、ステップＳ１に戻る。
【００２５】
一方、サムネイル表示するための操作が行われたと判断すると（ステップＳ１３がＹ）、撮像装置３は、記録部１３に記録される画像を表示部１２にサムネイル表示する（ステップＳ１４）。
【００２６】
次に、撮像装置３は、表示部１２にサムネイル表示されている画像がユーザにより選択されたか否かを判断する（ステップＳ１５）。
画像が選択されていないと判断すると（ステップＳ１５がＮ）、撮像装置３は、再生モードを終了し（ステップＳ１７）、ステップＳ１に戻る。
【００２７】
一方、画像が選択されたと判断すると（ステップＳ１５がＹ）、撮像装置３は、選択された画像を拡大表示した後（ステップＳ１６）、再生モードを終了し（ステップＳ１７）、ステップＳ１に戻る。ステップＳ１２〜ステップＳ１６は、デジタルカメラなどの一般的な撮像装置の画像表示動作と同様である。
【００２８】
また、再生モードが選択されていないと判断すると（ステップＳ１１がＮ）、撮像装置３は、ユーザにより撮影アドバイスモードが選択されたか否かを判断する（ステップＳ２１）。
【００２９】
撮影アドバイスモードが選択されていないと判断すると（ステップＳ２１がＮ）、撮像装置３は、ステップＳ１に戻る。
一方、撮影アドバイスモードが選択されたと判断すると（ステップＳ２１がＹ）、撮像装置３は、撮影アドバイスモードを開始したい旨の指示を通信部１１を介して撮影シミュレーションサーバ２に送信することで撮影シミュレーションサーバ２からアンケートを受信し、そのアンケートの回答結果（撮影シーン）を撮影シミュレーションサーバ２に送信する（ステップＳ２２）。
【００３０】
次に、撮像装置３は、撮影シミュレーションサーバ２から送信される撮影予想画像及び撮影アドバイスを受信する（ステップＳ２３）。
次に、撮像装置３は、ユーザからアンケートの終了指示があったか否かを判断する（ステップＳ２４）。ユーザは希望の撮影予想画像が撮影シミュレーションサーバ２から撮像装置３に送信されると、アンケートの終了指示を撮像装置３に与える。
【００３１】
アンケートの終了指示がないと判断すると（ステップＳ２４がＮ）、撮像装置３は、ステップＳ２２に戻る。
一方、アンケートの終了指示があったと判断すると（ステップＳ２４がＹ）、撮像装置３は、ユーザにより設定される撮影条件に基づいて撮影予想画像に対して撮影を行うことをユーザから指示されたか否かを判断する（ステップＳ２５）。このとき、ユーザは、露出の補正値、ＡＦポイント、シャッタースピード、絞り、ＩＳＯ感度、又はフォーカス距離などの撮影条件の設定を行う。
【００３２】
撮影予想画像に対して撮影を行うことをユーザから指示されていないと判断すると（ステップＳ２５がＮ）、撮像装置３は、ステップＳ２１に戻る。
一方、撮影予想画像に対して撮影を行うことをユーザから指示されたと判断すると（ステップＳ２５がＹ）、撮像装置３は、撮影条件を撮影シミュレーションサーバ２に送信する（ステップＳ２６）。
【００３３】
次に、撮像装置３は、上記撮影条件に基づいて作成された、撮影予想画像に対して撮影された後の画像を示すシミュレーション画像と、そのシミュレーション画像に対応する撮影アドバイスとを撮影シミュレーションサーバ２から受信すると（ステップＳ２７がＹ）、そのシミュレーション画像及び撮影アドバイスを表示部１２に表示する（ステップＳ２８）。これにより、ユーザは、表示部１２に表示されるシミュレーション画像や撮影アドバイスを確認した後で、当日の撮影に挑むことができる。
【００３４】
次に、撮像装置３は、ユーザにより撮影アドバイスモードの終了指示があったか否かを判断する（ステップＳ２９）。
撮影アドバイスモードの終了指示がないと判断すると（ステップＳ２９がＮ）、撮像装置３は、ユーザにより変更される撮影条件を再設定し（ステップＳ３０）、ステップＳ２５に戻る。
【００３５】
一方、撮影アドバイスモードの終了指示があったと判断すると（ステップＳ２９がＹ）、撮像装置３は、ステップＳ１に戻る。
図３は、撮影シミュレーションサーバ２の動作を説明するためのフローチャートである。
【００３６】
まず、撮影シミュレーションサーバ２は、撮像装置３から通信部５を介して画像を受信したか否かを判断する（ステップＳ１０１）。
撮像装置３から画像を受信したと判断すると（ステップＳ１０１がＹ）、撮影シミュレーションサーバ２は、その画像を記録部７に記録し（ステップＳ１０２）、ステップＳ１０１に戻る。記録部７に記録される画像は、後述する撮影予想画像として使用されるものであって、様々な撮影シーンに対応することができるように、できるだけたくさんの画像が記録部７に蓄積されていることが望ましい。また、記録部７に記録される複数の画像にはそれぞれ撮影アドバイスが対応し、それら撮影アドバイスは記録部７に記録されているものとする。
【００３７】
一方、撮像装置３から画像を受信していないと判断すると（ステップＳ１０１がＮ）、撮影シミュレーションサーバ２は、撮影アドバイスモードを開始したい旨の指示を撮像装置３から受信したか否かを判断する（ステップＳ１１１）。
【００３８】
撮影アドバイスモードを開始したい旨の指示を受信していないと判断すると（ステップＳ１１１がＮ）、撮影シミュレーションサーバ２は、シミュレーション画像を送信してほしい旨の指示を撮像装置３から受信したか否かを判断する（ステップＳ１１２）。
【００３９】
シミュレーション画像を送信してほしい旨の指示を受信したと判断すると（ステップＳ１１２がＹ）、撮影シミュレーションサーバ２は、撮像装置３から受信した撮影条件に基づいて撮影予想画像に対して撮影された後の画像を示すシミュレーション画像を作成し、そのシミュレーション画像を通信部５を介して撮像装置３に送信し（ステップＳ１４１）、ステップＳ１０１に戻る。
【００４０】
一方、シミュレーション画像を送信してほしい旨の指示を受信していないと判断すると（ステップＳ１１２がＮ）、撮影シミュレーションサーバ２は、記録部７に記録される画像を送信してほしい旨の指示を撮像装置３から受信しているか判断し（ステップＳ１１３）、記録部７に記録される画像を送信してほしい旨の指示を受信している場合、その指定画像を撮像装置３に送信し（ステップＳ１１４）、ステップＳ１０１に戻る。
【００４１】
また、撮影アドバイスモードを開始したい旨の指示を受信したと判断すると（ステップＳ１１１がＹ）、撮影シミュレーションサーバ２は、アンケートを撮像装置３に送信すると共に、そのアンケートに対する回答を撮像装置３から受信する（ステップＳ１２１）。このとき、例えば、図４Ａに示す画面を撮像装置３の表示部１２に表示させるためのデータが上記アンケートとして撮影シミュレーションサーバ２から撮像装置３に送信される。
【００４２】
次に、撮影シミュレーションサーバ２は、上記アンケートの回答が「屋外」か否かを判断する（ステップＳ１２２）。
回答が「屋外」であると判断すると（ステップＳ１２２がＹ）、撮影シミュレーションサーバ２は、次のアンケートを撮像装置３に送信すると共に、そのアンケートの回答を受信し、その回答が「運動会」か否かを判断する（ステップＳ１２３）。このとき、例えば、図４Ｂに示す画面を撮像装置３の表示部１２に表示させるためのデータが上記次のアンケートとして撮影シミュレーションサーバ２から撮像装置３に送信される。
【００４３】
そして、回答が「運動会」であると判断すると（ステップＳ１２３がＹ）、撮影シミュレーションサーバ２は、「運動会」に対応する撮影予想画像を記録部７に記録される画像の中から検索し、その検索した撮影予想画像と共に撮影予想画像に対応する撮影アドバイスを記録部７から読み出し撮像装置３に送信する（ステップＳ１２４）。このとき、例えば、「運動会」に対応する撮影予想画像としては、図５Ａに示す画面の画像５０が考えられ、その撮影予想画像に対応する撮影アドバイスとしては、図５Ａに示す画面のアドバイス表示欄５１の「スポーツモードがお勧め  撮影して下さい」が考えられる。また、「運動会」に対応する他の撮影アドバイスとしては、例えば、「シャッタースピードに注意してください」などが考えられる。
【００４４】
次に、撮影シミュレーションサーバ２は、撮影アドバイスモードの終了指示を撮像装置３から受信したか否かを判断する（ステップＳ１２５）。
撮影アドバイスモードの終了指示を受信していないと判断すると（ステップＳ１２５がＮ）、撮影シミュレーションサーバ２は、ステップＳ１２１に戻る。
【００４５】
一方、撮影アドバイスモードの終了指示を受信したと判断すると（ステップＳ１２５がＹ）、撮影シミュレーションサーバ２は、ステップＳ１０１に戻る。
また、回答が「運動会」でないと判断すると（ステップＳ１２３がＮ）、撮影シミュレーションサーバ２は、上記アンケートの回答が「風景」であると判断し、「風景」に対応する撮影予想画像を記録部７に記録される画像の中から検索し、その検索した撮影予想画像と共に撮影予想画像に対応する撮影アドバイスを記録部７から読み出し撮像装置３に送信し（ステップＳ１２６）、ステップＳ１２５に進む。このとき、例えば、図４Ｂに示す画面において、「風景」が選択されると、図４Ｃに示す画面が表示部１２に表示され、ユーザは、入力欄４０に撮影予定日時、撮影予定場所、及び撮影予定対象を入力する。入力が終わると、このアンケートの回答が撮影シミュレーションサーバ２に送信される。図４Ｃの例では、「風景」におけるアンケートの回答として「撮影予定日時：明日、朝、６時」、「撮影予定場所：○○市」、及び「撮影予定対象：△△山」が撮像装置３から撮影シミュレーションサーバ２に送信される。また、「風景」に対応する撮影予想画像としては、例えば、図５Ｂに示す画面の画像５２が考えられ、その撮影予想画像に対応する撮影アドバイスとしては、図５Ｂに示す画面のアドバイス表示欄５３の「撮影して下さい」が考えられる。
【００４６】
また、回答が「屋外」でないと判断すると（ステップＳ１２２がＮ）、撮影シミュレーションサーバ２は、上記アンケートの回答が「屋内」であると判断し、次の「屋内」のアンケートを撮像装置３に送信すると共に、そのアンケートの回答を受信し、その回答が「結婚式」か否かを判断する（ステップＳ１２７）。このとき、例えば、図４Ｄに示す画面を撮像装置３の表示部１２に表示させるためのデータが上記次のアンケートとして撮影シミュレーションサーバ２から撮像装置３に送信される。
【００４７】
回答が「結婚式」でないと判断すると（ステップＳ１２７がＮ）、撮影シミュレーションサーバ２は、上記アンケートの回答が「通常の屋内での撮影シーン」であると判断し、「通常の屋内での撮影シーン」に対応する撮影予想画像を記録部７に記録される画像の中から検索し、その検索した撮影予想画像と共に撮影予想画像に対応する撮影アドバイスを記録部７から読み出し撮像装置３に送信し（ステップＳ１２８）、ステップＳ１２５に進む。
【００４８】
一方、回答が「結婚式」であると判断すると（ステップＳ１２７がＹ）、撮影シミュレーションサーバ２は、次のアンケートを撮像装置３に送信すると共に、そのアンケートの回答を受信し、その回答が「金屏風」か否かを判断する（ステップＳ１２９）。このとき、例えば、図４Ｅに示す画面を撮像装置３の表示部１２に表示させるためのデータが上記次のアンケートとして撮影シミュレーションサーバ２から撮像装置３に送信される。
【００４９】
回答が「金屏風」であると判断すると（ステップＳ１２９がＹ）、撮影シミュレーションサーバ２は、「金屏風」に対応する撮影予想画像を記録部７に記録される画像の中から検索し、その検索した撮影予想画像と共に撮影予想画像に対応する撮影アドバイスを記録部７から読み出し撮像装置３に送信し（ステップＳ１３０）、ステップＳ１２５に進む。
【００５０】
一方、回答が「金屏風」でないと判断すると（ステップＳ１２９がＮ）、撮影シミュレーションサーバ２は、上記アンケートの回答が「ケーキカット」であるか否かを判断する（ステップＳ１３１）。
【００５１】
回答が「ケーキカット」であると判断すると（ステップＳ１３１がＹ）、撮影シミュレーションサーバ２は、「ケーキカット」に対応する撮影予想画像を記録部７に記録される画像の中から検索し、その検索した撮影予想画像と共に撮影予想画像に対応する撮影アドバイスを記録部７から読み出し撮像装置３に送信し（ステップＳ１３２）、ステップＳ１２５に進む。例えば、「ケーキカット」における撮影アドバイスとしては、例えば、「人物とケーキとナイフをしっかり構図に入れてください」などが考えられる。
【００５２】
一方、回答が「ケーキカット」でないと判断すると（ステップＳ１３１がＮ）、撮影シミュレーションサーバ２は、上記アンケートの回答が「キャンドルサービス」であると判断し、「キャンドルサービス」に対応する撮影予想画像を記録部７に記録される画像の中から検索し、その検索した撮影予想画像と共に撮影予想画像に対応する撮影アドバイスを記録部７から読み出し撮像装置３に送信し（ステップＳ１３３）、ステップＳ１２５に進む。例えば、「キャンドルサービス」に対応する撮影予想画像としては、図５Ｃに示す画面の画像５４が考えられ、その撮影予想画像に対応する撮影アドバイスとしては、図５Ｃに示す画面のアドバイス表示欄５５の「ストロボはＯＦＦがお勧め  撮影して下さい」が考えられる。
【００５３】
図６は、図３に示すフローチャートのステップＳ１４１の具体的な動作を説明するためのフローチャートである。
まず、撮影シミュレーションサーバ２は、撮像装置３から受信した撮影条件が撮像装置３に送信した撮影アドバイスに含まれる撮影条件と一致するか否かを判断する（ステップＳ２０１）。
【００５４】
撮影条件が一致すると判断すると（ステップＳ２０１がＹ）、撮影シミュレーションサーバ２の画像作成部８は、その撮影条件に基づいて、撮影予想画像に対して撮影した後の画像を示すシミュレーション画像を作成し、その作成したシミュレーション画像と共にシミュレーション画像に対応する撮影アドバイスを作成し撮像装置３に送信する（ステップＳ２０２）。
【００５５】
例えば、撮影条件が一致する場合の「運動会」に対応するシミュレーション画像としては、図７Ａに示す画面の画像７０のように、人物がぶれていないシミュレーション画像が考えられ、そのシミュレーション画像に対応する撮影アドバイスとしては、図７Ａに示す画面のアドバイス表示欄７１の「撮影結果：スポーツモードでぶれていません」が考えられる。スポーツモードのように、感度を上げ、タイムラグを短くした操作で撮影を行うことにより、シャッタースピードが速くなるため、人物がぶれたり、人物が近づきすぎることを防止することができる。
【００５６】
また、撮影条件が一致する場合の「風景」に対応するシミュレーション画像としては、図７Ｂに示す画面の画像７２のように、対象物である山が暗く写っていないシミュレーション画像が考えられ、そのシミュレーション画像に対応する撮影アドバイスとしては、図７Ｂに示す画面のアドバイス表示欄７３の「撮影結果：露出補正の効果です」が考えられる。
【００５７】
また、撮影条件が一致する場合の「キャンドルサービス」におけるシミュレーション画像としては、図７Ｃに示す画面の画像７４のように、人物が白飛びしていないシミュレーション画像が考えられ、そのシミュレーション画像に対応する撮影アドバイスとしては、図７Ｃに示す画面のアドバイス表示欄７５の「撮影結果：ストロボＯＦＦで雰囲気が出ました」が考えられる。
【００５８】
図６に示すフローチャートにおいて、撮影条件が一致しないと判断すると（ステップＳ２０１がＮ）、撮影シミュレーションサーバ２は、撮像装置３から送信されたアンケートの回答が運動会であるか否かを判断する（ステップＳ２０３）。
【００５９】
アンケートの回答が運動会であると判断すると（ステップＳ２０３がＹ）、撮影シミュレーションサーバ２の画像作成部８は、撮像装置３から受信した撮影条件に基づいて、撮影予想画像に対して撮影した後の画像を示すシミュレーション画像を作成し、その作成したシミュレーション画像と共にシミュレーション画像に対応する撮影アドバイスを作成し（ステップＳ２０４）、撮像装置３に送信し（ステップＳ２５３）、図３に示すフローチャートのステップＳ１０１に進む。
【００６０】
例えば、撮影条件が一致していない場合の「運動会」に対応するシミュレーション画像としては、図８Ａに示す画面の画像８０のように、人物がぶれたシミュレーション画像が考えられ、そのシミュレーション画像に対応する撮影アドバイスとしては、図８Ａに示す画面のアドバイス表示欄８１の「撮影結果：スポーツモードが好ましいです」が考えられる。
【００６１】
図６に示すフローチャートにおいて、アンケートの回答が「運動会」でないと判断すると（ステップＳ２０３がＮ）、撮影シミュレーションサーバ２は、アンケートの回答が「風景」であるか否かを判断する（ステップＳ２１１）。
【００６２】
アンケートの回答が「風景」であると判断すると（ステップＳ２１１がＹ）、撮影シミュレーションサーバ２は、撮像装置３から受信した撮影予定場所及び撮影予定日時に基づいて天気予報情報をネットワーク４を介して天気予報サイトから取得する（ステップＳ２１２）。
【００６３】
次に、撮影シミュレーションサーバ２は、撮像装置３から受信した撮影予定場所及び撮影予定対象に基づいて記録部７に記録される画像の中から撮影予想画像を検索する（ステップＳ２１３）。
【００６４】
次に、撮影シミュレーションサーバ２は、撮像装置３から受信した撮影予定場所及び撮影予定対象やステップＳ２１２で取得した天気予報情報などに基づいて、ステップＳ２１３で検索した撮影予想画像に対応するシミュレーション画像に太陽が入り込んで逆光になるか否かを判断する（ステップＳ２１４）。例えば、撮影シミュレーションサーバ２は、撮影予定場所に基づいて図８Ｂに示すような地図情報をネットワーク４を介して地図情報提供サービスサイトなどから取得し、その取得した地図情報と撮影予定対象に基づいて、撮影予定場所からの撮影方向（図８に示す矢印）を判断し、その撮影方向に基づいて、撮影予想画像を検索する。
【００６５】
図６に示すフローチャートにおいて、シミュレーション画像が逆光になると判断すると（ステップＳ２１４がＹ）、撮影シミュレーションサーバ２の画像作成部８は、撮像装置３から受信した撮影条件に基づいて、撮影予想画像に対して撮影した後の画像を示すシミュレーション画像を作成し、その作成したシミュレーション画像と共にシミュレーション画像に対応する撮影アドバイスを作成し（ステップＳ２１５）、撮像装置３に送信し（ステップＳ２５３）、図３に示すフローチャートのステップＳ１０１に進む。
【００６６】
例えば、逆光になる場合の「風景」におけるシミュレーション画像としては、図８Ｃに示す画面の画像８２のように、撮影対象である山が暗く写るシミュレーション画像が考えられ、そのシミュレーション画像に対応する撮影アドバイスとしては、図８Ｃに示す画面のアドバイス表示欄８３の「撮影結果：天気の良い朝は露出補正に注意」が考えられる。空が明るい場合、露出が十分であると撮像装置３が判断して山が暗くなる可能性がある。また、撮影予定時間が夕方の場合は、「夕方のとき手ぶれが起こる可能性があります」などの撮影アドバイスが考えられる。
【００６７】
図６に示すフローチャートにおいて、シミュレーション画像が逆光にならないと判断すると（ステップＳ２１４がＮ）、撮影シミュレーションサーバ２の画像作成部８は、一般的な撮影アドバイスを作成し、その作成した撮影アドバイスを撮像装置３に送信する（ステップＳ２７３）。
【００６８】
また、アンケートの回答が「風景」でないと判断すると（ステップＳ２１１がＮ）、撮影シミュレーションサーバ２は、アンケートの回答が「ケーキカット」であるか否かを判断する（ステップＳ２５１）。
【００６９】
アンケートの回答が「ケーキカット」であると判断すると（ステップＳ２５１がＹ）、撮影シミュレーションサーバ２の画像作成部８は、撮像装置３から受信した撮影条件に基づいて、撮影予想画像に対して撮影した後の画像を示すシミュレーション画像を作成し、その作成したシミュレーション画像と共にシミュレーション画像に対応する撮影アドバイスを作成し（ステップＳ２５２）、撮像装置３に送信し（ステップＳ２５３）、図３に示すフローチャートのステップＳ１０１に進む。
【００７０】
例えば、撮影条件が一致していない場合の「ケーキカット」におけるシミュレーション画像としては、ケーキが灰色になったりナイフが写っていなかったりするシミュレーション画像が考えられ、そのシミュレーション画像に対応する撮影アドバイスとしては、「露出補正値の設定に気をつけてください」や「ナイフが写るように構図に気をつけてください」などが考えられる。「ケーキカット」の撮影シーンでは、ケーキの白さで露出の設定が失敗しケーキを含めて全体が暗くなる可能性がある。また、ズームの設定によっては全体が正しく撮影されない可能性がある。
【００７１】
一方、アンケートの回答が「ケーキカット」でないと判断すると（ステップＳ２５１がＮ）、撮影シミュレーションサーバ２は、アンケートの回答が「キャンドルサービス」であるか否かを判断する（ステップＳ２６１）。
【００７２】
アンケートの回答が「キャンドルサービス」であると判断すると（ステップＳ２６１がＹ）、撮影シミュレーションサーバ２の画像作成部８は、撮像装置３から受信した撮影条件に基づいて、撮影予想画像に対して撮影した後の画像を示すシミュレーション画像を作成し、その作成したシミュレーション画像と共にシミュレーション画像に対応する撮影アドバイスを作成し（ステップＳ２６２）、撮像装置３に送信し（ステップＳ２５３）、図３に示すフローチャートのステップＳ１０１に進む。
【００７３】
例えば、撮影条件が一致していない場合の「キャンドルサービス」におけるシミュレーション画像としては、図８Ｄに示す画面の画像８４のように、人物が白飛びしたシミュレーション画像が考えられ、そのシミュレーション画像に対応する撮影アドバイスとしては、図８Ｄに示す画面のアドバイス表示欄８５の「撮影結果：ストロボＯＦＦが好ましいです」が考えられる。
【００７４】
一方、アンケートの回答が「キャンドルサービス」でないと判断すると（ステップＳ２６１がＮ）、撮影シミュレーションサーバ２は、アンケートの回答が「金屏風」であるか否かを判断する（ステップＳ２７１）。
【００７５】
アンケートの回答が「金屏風」であると判断すると（ステップＳ２７１がＹ）、撮影シミュレーションサーバ２の画像作成部８は、撮像装置３から受信した撮影条件に基づいて、撮影予想画像に対して撮影した後の画像を示すシミュレーション画像を作成し、その作成したシミュレーション画像と共にシミュレーション画像に対応する撮影アドバイスを作成し（ステップＳ２７２）、撮像装置３に送信し（ステップＳ２５３）、図３に示すフローチャートのステップＳ１０１に進む。
【００７６】
例えば、撮影条件が一致していない場合の「金屏風」におけるシミュレーション画像としては、人物が真っ黒になったシミュレーション画像が考えられ、そのシミュレーション画像に対応する撮影アドバイスとしては、「ストロボを使う場合は露出の設定に気をつけてください」などが考えられる。金屏風前での撮影では、大量のストロボ光が反射されて、露出が十分であると誤って撮像装置３が判断し金屏風前の人物が真っ黒になる可能性がある。
【００７７】
一方、アンケートの回答が「金屏風」でないと判断すると（ステップＳ２７１がＮ）、撮影シミュレーションサーバ２は、ステップＳ２７３に進む。
例えば、ステップＳ２１４がＮの場合、ステップＳ２７３における一般的な撮影アドバイスとしては、「手ぶれに気をつけてください」などが考えられる。また、ステップＳ２７１がＮの場合（上記「通常の屋内での撮影シーン」の場合）、ステップＳ２７３における一般的な撮影アドバイスとしては、「学芸会での撮影など被写体から遠いところからの撮影ではストロボの光が届かない可能性があります」などが考えられる。
【００７８】
このように、本実施形態の撮影シミュレーションシステム１では、様々な撮影シーンに対応するために画像を撮影シミュレーションサーバ２で蓄積しておき、それら蓄積された画像の中からユーザが指定する撮影シーンに対応する撮影予想画像を検索する構成であるため、実際の撮影状況に基づいたアドバイスをユーザに対して行うことができる。
【００７９】
また、本実施形態の撮影シミュレーションシステム１では、撮影シミュレーションサーバ２において、アンケートの回答や撮像装置３から送信される撮影予定日時、撮影予定場所、及び撮影予定対象などに基づいて実際の撮影画像を予想し、撮像装置３においてユーザが撮影予想画像と撮影アドバイスに基づいて撮影条件を設定し、再び、撮影シミュレーションサーバ２において、撮像装置３から送信される撮像条件に基づいて、撮影予想画像に対して撮影された後の画像を示すシミュレーション画像を作成しているので、ユーザはシミュレーション画像により事前にどのような撮影画像を得られるかを確認することができる。これにより、ユーザの撮影技術を向上させることができる。
【００８０】
なお、上記実施形態では、「結婚式」における具体的な撮影シーンとして「ケーキカット」、「キャンドルサービス」、及び「金屏風」の３シーンに対して撮影シミュレーションを行える構成であるが、「結婚式」における具体的な撮影シーンは上記３シーンに限定されない。例えば、三々九度の作法のアドバイスによって、撮影タイミングを逃さないようにすることやウエディングドレスに対する露出補正値の設定の失敗を防止させるようにすることなどが考えられる。
【００８１】
また、上記実施形態では、予想される撮影シーンとして、「運動会」や「結婚式」などを想定しているが、予想される撮影シーンは上述したものに限らない。
また、上記実施形態では、主に、露出補正値の設定、ストロボＯＮ／ＯＦＦの設定、又は構図などに対して撮影アドバイスを行う構成であるが、さらに細かい撮像装置３の操作に対する撮影アドバイスを撮影シミュレーションサーバ２から撮像装置３に送信するように構成してもよい。
【００８２】
また、上記実施形態では、１つの撮影シーンに対して１つの撮影条件で撮影シミュレーションを行う構成であるが、１つの撮影シーンに対して複数の撮影条件でそれぞれ撮影シミュレーションを行ってもよい。例えば、同じ逆光の撮影シーンにおいて、人物が黒くなってしまう具合が撮像装置３の露出補正値を設定する毎に連続的に変更されるように構成してもよい。
【００８３】
また、撮影シミュレーションサーバ２における検索部６、記録部７、及び画像作成部８を撮像装置３に備え、画像の蓄積、撮影予想画像の検索、撮影アドバイスの検索及び作成、並びにシミュレーション画像の作成などを撮影装置３単体（撮影シミュレーション装置）で行うように構成してもよい。
【図面の簡単な説明】
【００８４】
【図１】本発明の実施形態の撮影シミュレーションシステムを示す図である。
【図２】撮像装置の動作を説明するためのフローチャートである。
【図３】撮影シミュレーションサーバの動作を説明するためのフローチャートである。
【図４Ａ】アンケートの一例を示す図である。
【図４Ｂ】アンケートの一例を示す図である。
【図４Ｃ】アンケートの一例を示す図である。
【図４Ｄ】アンケートの一例を示す図である。
【図４Ｅ】アンケートの一例を示す図である。
【図５Ａ】撮影予想画像及び撮影アドバイスの一例を示す図である。
【図５Ｂ】撮影予想画像及び撮影アドバイスの一例を示す図である。
【図５Ｃ】撮影予想画像及び撮影アドバイスの一例を示す図である。
【図６】図３に示すフローチャートのステップＳ１４１の具体的な動作を説明するためのフローチャートである。
【図７Ａ】シミュレーション画像及び撮影アドバイスの一例を示す図である。
【図７Ｂ】シミュレーション画像及び撮影アドバイスの一例を示す図である。
【図７Ｃ】シミュレーション画像及び撮影アドバイスの一例を示す図である。
【図８Ａ】シミュレーション画像及び撮影アドバイスの一例を示す図である。
【図８Ｂ】地図情報の一例を示す図である。
【図８Ｃ】シミュレーション画像及び撮影アドバイスの一例を示す図である。
【図８Ｄ】シミュレーション画像及び撮影アドバイスの一例を示す図である。
【符号の説明】
【００８５】
１  撮影シミュレーションシステム
２  撮影シミュレーションサーバ
３  撮像装置
４  ネットワーク
５  通信部
６  検索部
７  記録部
８  画像作成部
９  撮像部
１０  操作部
１１  通信部
１２  表示部
１３  記録部
【図１】
2009124658.tif 000003
【図２】
2009124658.tif 000004
【図３】
2009124658.tif 000005
【図４Ａ】
2009124658.tif 000006
【図４Ｂ】
2009124658.tif 000007
【図４Ｃ】
2009124658.tif 000008
【図４Ｄ】
2009124658.tif 000009
【図４Ｅ】
2009124658.tif 000010
【図５Ａ】
2009124658.tif 000011
【図５Ｂ】
2009124658.tif 000012
【図５Ｃ】
2009124658.tif 000013
【図６】
2009124658.tif 000014
【図７Ａ】
2009124658.tif 000015
【図７Ｂ】
2009124658.tif 000016
【図７Ｃ】
2009124658.tif 000017
【図８Ａ】
2009124658.tif 000018
【図８Ｂ】
2009124658.tif 000019
【図８Ｃ】
2009124658.tif 000020
【図８Ｄ】
2009124658.tif 000021